(57)【要約】      （修正有）【課題】非圧縮オーディオデータと圧縮オーディオデータとが混在したデータ群であっても、一方のオーディオデータに対する操作と同一の操作によって、他方のオーディオデータを取り扱う。【解決手段】圧縮オーディオデータと非圧縮オーディオデータとが混在したデータ群を再生する再生装置１０であって、非圧縮オーディオデータのディレクトリ構成および圧縮オーディオデータのディレクトリ構成を特定するディレクトリ解析部７Ｂ（第１のディレクトリ構成解析部および第２のディレクトリ構成解析部）と、ディレクトリ解析部７Ｂの解析結果に基づいて圧縮オーディオデータおよび非圧縮オーディオデータを擬似的に共通のディレクトリ構成とするフォルダ再構成部７Ｃと、を備える再生装置１０とする。【選択図】図１
2010108542.tif 000002
【特許請求の範囲】
【請求項１】
圧縮オーディオデータと非圧縮オーディオデータとが混在したデータ群を再生する再生装置であって、
上記非圧縮オーディオデータのディレクトリ構成を特定する第１のディレクトリ解析部と、
上記圧縮オーディオデータのディレクトリ構成を特定する第２のディレクトリ解析部と、
上記第１のディレクトリ解析部および上記第２のディレクトリ解析部の解析結果に基づいて上記圧縮オーディオデータおよび上記非圧縮オーディオデータを擬似的に共通のディレクトリ構成とするフォルダ再構成部と、
を備えることを特徴とする再生装置。
【請求項２】
圧縮オーディオデータと非圧縮オーディオデータとが混在して記録された１または複数の記録媒体を再生する再生装置であって、
上記記録媒体のリード・イン領域に記録されているＴＯＣを解析して上記非圧縮オーディオデータのディレクトリ構成を特定する第１のディレクトリ解析部と、
上記記録媒体のデータ・トラック領域内に記録されているディレクトリ情報を解析して上記圧縮オーディオデータのディレクトリ構成を特定する第２のディレクトリ解析部と、
上記第１のディレクトリ解析部および上記第２のディレクトリ解析部の解析結果に基づいて上記圧縮オーディオデータおよび上記非圧縮オーディオデータを擬似的に共通のディレクトリ構成とするフォルダ再構成部と、
を備えることを特徴とする再生装置。
【請求項３】
請求項１または２に記載の再生装置において、
前記第１の解析部の解析結果に基づいて求められる前記圧縮オーディオデータのディレクトリ構成内すべてのフォルダに対して当該フォルダ毎に付与されている番号に所定の数値を加算するフォルダ番号加算部を備え、
前記フォルダ再構成部は、前記非圧縮オーディオデータのディレクトリ構成を、上記フォルダ番号加算部により加算されて構成された前記圧縮オーディオデータのディレクトリ構成の上位階層として関連付けて、擬似的に共通のディレクトリ構成とすることを特徴とする再生装置。
【請求項４】
請求項１から３のいずれか１項に記載の再生装置において、
前記フォルダ再構成部により擬似的に構成された共通のディレクトリ構成の階層にしたがって前記圧縮オーディオデータおよび／または前記非圧縮データの楽曲を任意に再生させるもしくは楽曲名を任意に表示させることを特徴とする再生装置。
【請求項５】
圧縮オーディオデータと非圧縮オーディオデータとが混在したデータ群を一度に再生する再生方法であって、
上記非圧縮オーディオデータのディレクトリ構成を特定する第１のディレクトリ解析ステップと、
上記圧縮オーディオデータのディレクトリ構成を特定する第２のディレクトリ解析ステップと、
上記第１のディレクトリ解析ステップおよび上記第２のディレクトリ解析ステップの解析結果に基づいて上記圧縮オーディオデータおよび上記非圧縮オーディオデータを擬似的に共通のディレクトリ構成とするフォルダ構成ステップと、
を有することを特徴とする再生方法。
【請求項６】
圧縮オーディオデータと非圧縮オーディオデータとが混在して記録された１または複数の記録媒体を再生する再生方法であって、
上記記録媒体のリード・イン領域に記録されているＴＯＣを解析して上記非圧縮オーディオデータのディレクトリ構成を特定する第１のディレクトリ解析ステップと、
上記記録媒体のデータ・トラック領域内に記録されているディレクトリ情報を解析して上記圧縮オーディオデータのディレクトリ構成を特定する第２のディレクトリ解析ステップと、
上記第１のディレクトリ解析ステップおよび上記第２のディレクトリ解析ステップの解析結果に基づいて上記圧縮オーディオデータおよび上記非圧縮オーディオデータを擬似的に共通のディレクトリ構成とするフォルダ構成ステップと、
を有することを特徴とする再生方法。
【請求項７】
コンピュータを、圧縮オーディオデータと非圧縮オーディオデータとが混在したデータ群を再生する再生装置であって、
上記非圧縮オーディオデータのディレクトリ構成を特定する第１のディレクトリ解析手段、
上記圧縮オーディオデータのディレクトリ構成を特定する第２のディレクトリ解析手段、
上記第１のディレクトリ解析手段および上記第２のディレクトリ解析手段の解析結果に基づいて上記圧縮オーディオデータおよび上記非圧縮オーディオデータを擬似的に共通のディレクトリ構成とするフォルダ再構成手段、
として機能させるための再生プログラム。
【請求項８】
コンピュータを、圧縮オーディオデータと非圧縮オーディオデータとが混在して記録された１または複数の記録媒体を再生する再生装置であって、
上記記録媒体のリード・イン領域に記録されているＴＯＣを解析して上記非圧縮オーディオデータのディレクトリ構成を特定する第１のディレクトリ解析手段、
上記記録媒体のデータ・トラック領域内に記録されているディレクトリ情報を解析して上記圧縮オーディオデータのディレクトリ構成を特定する第２のディレクトリ解析手段、
上記第１のディレクトリ解析手段および上記第２のディレクトリ解析手段の解析結果に基づいて上記圧縮オーディオデータおよび上記非圧縮オーディオデータを擬似的に共通のディレクトリ構成とするフォルダ再構成手段、
として機能させるための再生プログラム。
【発明の詳細な説明】
【技術分野】
【０００１】
本発明は、再生装置、再生方法および再生プログラムに関する。
【背景技術】
【０００２】
特許文献１は、非圧縮オーディオデータと圧縮オーディオデータとが混在して記憶された記憶媒体を再生できる装置を開示する。
【０００３】
【特許文献１】特開２００２−１９０１６０号公報（特許請求の範囲、要約参照）
【発明の開示】
【発明が解決しようとする課題】
【０００４】
非圧縮オーディオデータと圧縮オーディオデータとが混在した記憶媒体としてミックス・モードＣＤやエンハンストＣＤが知られている。図７にミックス・モードＣＤの記録構造を模式的に示す。図７に示すように、ミックス・モードＣＤは、ディスクの内周側からＴＯＣ（Ｔａｂｌｅ  ｏｆ  Ｃｏｎｔｅｎｔｓ）などが記憶されているリード・イン領域Ｌ１と、ボリュームに関する情報を保持するＰＶＤ（Ｐｒｉｍａｒｙ  Ｖｏｌｕｍｅ  Ｄｅｓｃｒｉｐｔｏｒ：基本ボリューム記述子）領域Ｌ２と、ボリューム中の全ディレクトリ情報等を保持するパステーブル領域Ｌ３と、１または複数の圧縮オーディオデータの楽曲や、サブディレクトリのファイル識別子やディレクトリ識別子情報等を保持するデータ・トラック領域Ｌ４と、１または複数の非圧縮オーディオデータの楽曲や、サブディレクトリのファイル識別子やディレクトリ識別子情報等を保持するＣＤ−ＤＡ（ＣＤ−Ｄｉｇｉｔａｌ  Ａｕｄｉｏ）トラック領域Ｌ５と、リード・アウト領域Ｌ６とが順番に１つのセッション内に配列されている。なお、エンハンストＣＤは、ミックス・モードＣＤのように１つのセッション内にデータ・トラックおよびＣＤ−ＤＡトラックの双方のオーディオデータを記憶する方式ではなく、第１セッションにＣＤ−ＤＡトラックを記憶し、第２セッション以降にデータ・トラックを記憶している。
【０００５】
ミックス・モードＣＤやエンハンストＣＤに記憶されている圧縮オーディオデータおよび非圧縮オーディオデータのそれぞれのディレクトリ構造については、上述したパステーブル領域Ｌ３、データ・トラック領域Ｌ４、ＣＤ−ＤＡトラック領域Ｌ５を解析することにより求めることができる。しかしながら、ミックス・モードＣＤであるか、エンハンストＣＤであるかに関わらず、従来の再生装置においては、圧縮オーディオデータのディレクトリ構造と非圧縮オーディオデータのディレクトリ構造とはそれぞれ別々に識別されている。たとえば特許文献１に開示される装置では、非圧縮オーディオデータと圧縮オーディオデータとが混在したデータを再生する場合、たとえばＣＤ−ＤＡなどの非圧縮オーディオデータを再生するモードと、ＭＰ３（ＭＰＥＧ−１  Ａｕｄｉｏ  Ｌａｙｅｒ−III）などの圧縮オーディオデータを再生するモードの２つのモードを備え、いずれかのモードをユーザに選択させて再生している。すなわち、ユーザは圧縮オーディオデータであるか非圧縮オーディオデータであるかによって上記２つの再生モードを切り替える必要がある。
【０００６】
このような操作は、再生モード以外にもランダム再生やプログラム再生、頭出し再生などの特殊な動作を行なうときであっても、圧縮オーディオデータもしくは非圧縮オーディオデータのみで動作させることを前提として設計されているため、同様の問題が生じる。つまり、１つの記憶媒体に記録されているオーディオデータであるにも関わらず、圧縮の有無によってユーザ側の操作が異なる。また、圧縮オーディオデータと非圧縮オーディオデータのディレクトリ構成もそれぞれ異なるため、楽曲の把握が困難となり、たとえばこのような記憶媒体に記録されているすべての楽曲一覧から任意の楽曲を自由に選曲することが容易にはできない。
【０００７】
そこで、本発明は、上述した課題を鑑み、非圧縮オーディオデータと圧縮オーディオデータとが混在したデータ群であっても、一方のオーディオデータに対する操作と同一の操作によって、他方のオーディオデータも取り扱える再生装置、再生方法および再生プログラムを提供することを目的とする。
【課題を解決するための手段】
【０００８】
本発明の１側面は、圧縮オーディオデータと非圧縮オーディオデータとが混在したデータ群を再生する再生装置であって、非圧縮オーディオデータのディレクトリ構成を特定する第１のディレクトリ解析部と、圧縮オーディオデータのディレクトリ構成を特定する第２のディレクトリ解析部と、第１のディレクトリ解析部および第２のディレクトリ解析部の解析結果に基づいて圧縮オーディオデータおよび非圧縮オーディオデータを擬似的に共通のディレクトリ構成とするフォルダ再構成部と、を備える再生装置である。
【０００９】
本発明の１側面は、圧縮オーディオデータと非圧縮オーディオデータとが混在して記録された１または複数の記録媒体を再生する再生装置であって、記録媒体のリード・イン領域に記録されているＴＯＣを解析して非圧縮オーディオデータのディレクトリ構成を特定する第１のディレクトリ解析部と、記録媒体のデータ・トラック領域内に記録されているディレクトリ情報を解析して圧縮オーディオデータのディレクトリ構成を特定する第２のディレクトリ解析部と、第１のディレクトリ解析部および第２のディレクトリ解析部の解析結果に基づいて圧縮オーディオデータおよび非圧縮オーディオデータを擬似的に共通のディレクトリ構成とするフォルダ再構成部と、を備える再生装置である。
【００１０】
本発明の１側面は、上述したいずれかの再生装置の構成に加えて、第１の解析部の解析結果に基づいて求められる圧縮オーディオデータのディレクトリ構成内すべてのフォルダに対して当該フォルダ毎に付与されている番号に所定の数値を加算するフォルダ番号加算部を備え、フォルダ再構成部は、非圧縮オーディオデータのディレクトリ構成を、フォルダ番号加算部により加算されて構成された圧縮オーディオデータのディレクトリ構成の上位階層として関連付けて、擬似的に共通のディレクトリ構成とすることが好ましい。
【００１１】
本発明の１側面は、上述したいずれかの再生装置の構成に加えて、フォルダ再構成部により擬似的に構成された共通のディレクトリ構成の階層にしたがって圧縮オーディオデータおよび／または非圧縮データの楽曲を任意に再生させるもしくは楽曲名を任意に表示させることが好ましい。
【００１２】
本発明の１側面は、圧縮オーディオデータと非圧縮オーディオデータとが混在したデータ群を一度に再生する再生方法であって、非圧縮オーディオデータのディレクトリ構成を特定する第１のディレクトリ解析ステップと、圧縮オーディオデータのディレクトリ構成を特定する第２のディレクトリ解析ステップと、第１のディレクトリ解析ステップおよび第２のディレクトリ解析ステップの解析結果に基づいて圧縮オーディオデータおよび非圧縮オーディオデータを擬似的に共通のディレクトリ構成とするフォルダ構成ステップと、を有する再生方法である。
【００１３】
本発明の１側面は、圧縮オーディオデータと非圧縮オーディオデータとが混在して記録された１または複数の記録媒体を再生する再生方法であって、記録媒体のリード・イン領域に記録されているＴＯＣを解析して非圧縮オーディオデータのディレクトリ構成を特定する第１のディレクトリ解析ステップと、記録媒体のデータ・トラック領域内に記録されているディレクトリ情報を解析して圧縮オーディオデータのディレクトリ構成を特定する第２のディレクトリ解析ステップと、第１のディレクトリ解析ステップおよび第２のディレクトリ解析ステップの解析結果に基づいて圧縮オーディオデータおよび非圧縮オーディオデータを擬似的に共通のディレクトリ構成とするフォルダ構成ステップと、を有する再生方法である。
【００１４】
本発明の１側面は、コンピュータを、圧縮オーディオデータと非圧縮オーディオデータとが混在したデータ群を再生する再生装置であって、非圧縮オーディオデータのディレクトリ構成を特定する第１のディレクトリ解析手段、圧縮オーディオデータのディレクトリ構成を特定する第２のディレクトリ解析手段、第１のディレクトリ解析手段および第２のディレクトリ解析手段の解析結果に基づいて圧縮オーディオデータおよび非圧縮オーディオデータを擬似的に共通のディレクトリ構成とするフォルダ再構成手段、として機能させるための再生プログラムである。
【００１５】
本発明の１側面は、コンピュータを、圧縮オーディオデータと非圧縮オーディオデータとが混在して記録された１または複数の記録媒体を再生する再生装置であって、記録媒体のリード・イン領域に記録されているＴＯＣを解析して非圧縮オーディオデータのディレクトリ構成を特定する第１のディレクトリ解析手段、記録媒体のデータ・トラック領域内に記録されているディレクトリ情報を解析して圧縮オーディオデータのディレクトリ構成を特定する第２のディレクトリ解析手段、第１のディレクトリ解析手段および第２のディレクトリ解析手段の解析結果に基づいて圧縮オーディオデータおよび非圧縮オーディオデータを擬似的に共通のディレクトリ構成とするフォルダ再構成手段、として機能させるための再生プログラムである。
【発明の効果】
【００１６】
本発明によれば、非圧縮オーディオデータと圧縮オーディオデータとが混在したデータ群であっても、一方のオーディオデータに対する操作と同一の操作によって、他方のオーディオデータも取り扱える再生装置、再生方法および再生プログラムを提供することができる。
【発明を実施するための最良の形態】
【００１７】
（再生装置１０の構成）
以下、本発明の実施の形態に基づいて説明する。図１は、本発明の第１実施形態に係る再生装置１０の全体構成を示すブロック図である。
【００１８】
再生装置１０は、スピンドルモータ２と、ピックアップ３と、ＲＦ（Ｒａｄｉｏ  Ｆｒｅｑｕｅｎｃｙ）アンプ４と、モータドライバ５と、サーボ制御／ＤＳＰ部６と、マイコン７と、デコード処理部８と、ＤＡＣ（Ｄ／Ａコンバータ）９と、アンプ１１と、スピーカ１２と、表示部１３と、操作部１４とを主要な構成要素としている。
【００１９】
スピンドルモータ２は、モータドライバ５によって制御され、ディスク１を回転駆動する。
【００２０】
ピックアップ３は、モータドライバ５によって制御され、ディスク１に記録されているデータを読み取る。具体的には、ピックアップ３は、ディスク１にレーザ光を集光して照射すると共に、反射光を光電変換して得られた信号をＲＦアンプ４へ供給する。
【００２１】
ＲＦアンプ４は、フォーカス誤差信号、トラッキング誤差信号、ＲＦ信号を生成する。また、ＲＦアンプ４は、フォーカス誤差信号およびトラッキング誤差信号をサーボ制御／ＤＳＰ部６へ供給すると共に、ＲＦ信号をデコード処理部８へ供給する。
【００２２】
モータドライバ５は、サーボ制御／ＤＳＰ部６から供給されるフォーカスサーボ信号、トラッキングサーボ信号、位置制御信号に基づいてピックアップ３を制御してピックアップ３のレーザ光の照射位置を所定の位置に決定すると共に、スピンドルモータ信号に基づいてスピンドルモータ２を制御し、回転駆動させる。
【００２３】
サーボ制御／ＤＳＰ部６は、フォーカスサーボ動作やトラッキングサーボ動作の制御等を行なう。具体的には、ＲＦアンプ４から供給されるフォーカス誤差信号およびトラッキング誤差信号に基づいてフォーカスサーボ信号およびトラッキングサーボ信号を生成してモータドライバ５へ供給すると共に、スピンドルモータ駆動信号も生成して同じくモータドライバ５へ供給する。
【００２４】
マイコン７は、再生装置１０全体の制御処理を行なう。また、マイコン７は、不図示のメモリに記録されたプログラムを実行することで各種の処理を行なっている。具体的には、マイコン７は、サーボ制御／ＤＳＰ部６を制御すると共に、ピックアップ３にディスク１に記録されているデータを読み出させる。また、マイコン７は、デコード処理部８から供給されるディスク１のＴＯＣ情報に基づいてオーディオデータのフォーマット判定を行ない、その判定結果に基づいてデコード処理部８でのデコード処理を決定する。
【００２５】
また、マイコン７は、上述した制御処理に加えて、データ判定部７Ａと、ディレクトリ解析部７Ｂ（第１のディレクトリ解析部および第２のディレクトリ解析部）と、フォルダ番号加算部７Ｃと、フォルダ再構成部７Ｄとして機能する。
【００２６】
データ判定部７Ａは、圧縮オーディオデータと非圧縮オーディオデータとが混在したディスク１（以下、混在ディスク１という）であるか否かを判定する。具体的には、ディスク１のリード・イン領域Ｌ１を参照し、ＴＯＣ情報から第１セッションにデータ・トラック領域Ｌ４と、ＣＤ−ＤＡトラック領域Ｌ５が記録されており、かつデータ・トラック領域Ｌ４、ＣＤ−ＤＡトラック領域Ｌ５の順に記録されているか否かを判定する。
【００２７】
ディレクトリ解析部７Ｂは、第１のディレクトリ解析部としてディスク１のＴＯＣ情報を解析して非圧縮オーディオデータの楽曲の総曲数および曲順などを特定する。また、ディレクトリ解析部７Ｂは、第２のディレクトリ解析部として、ディスク１のデータ・トラック領域Ｌ４を解析して圧縮オーディオデータの楽曲の総曲数および曲順などを特定する。
【００２８】
フォルダ番号加算部７Ｃは、第１のディレクトリ解析部としてのディレクトリ解析部７Ｂの解析結果に基づいて生成される圧縮オーディオデータのフォルダ構成に基づいて、すべてのフォルダ番号に対して所定の数値（たとえば１）を加算する処理を行なう。
【００２９】
フォルダ再構成部７Ｄは、第１のディレクトリ解析部および第２のディレクトリ解析部としてのディレクトリ解析部７Ｂの解析結果に基づいて圧縮オーディオデータおよび非圧縮オーディオデータを擬似的な一つのディレクトリ構成とするものである。具体的には、フォルダ番号加算部７Ｃにより加算された圧縮オーディオデータのディレクトリ構成の上位階層として非圧縮オーディオデータのディレクトリ構成を関連付ける処理を行ない、擬似的なディレクトリ構成を不図示のメモリに記録する。
【００３０】
デコード処理部８は、更にＣＤ−ＲＯＭデコーダ部８Ａおよび圧縮オーディオデコーダ部８Ｂから構成される。ＣＤ−ＲＯＭデコーダ部８Ａは、ＣＤ−ＲＯＭフォーマットへ復調するデコーダである。一方、圧縮オーディオデコーダ部８Ｂは、ＭＰ３などの圧縮オーディオデータをＣＤ−ＤＡなどの非圧縮オーディオデータに復調するデコーダである。
【００３１】
ＤＡＣ９は、デコード処理部８から供給されるオーディオデータを、デジタル信号からアナログ信号へと変換してアンプ１１へ供給する。
【００３２】
アンプ１１は、ＤＡＣ９から供給されたアナログ信号を増幅してスピーカ１２に供給する。
【００３３】
スピーカ１２は、アンプ１１から供給されたアナログのオーディオ信号を出力する。
【００３４】
表示部１３は、再生装置１０の動作状況その他を表示する。具体的には、ディスク１に記録されている楽曲の楽曲名やアーティスト名、再生時間、再生モードなどの再生表示層装置１０の動作内容を表示する。
【００３５】
操作部１４は、ユーザからの操作を受け付ける。具体的には、ディスク１の再生、楽曲の選択、ランダム再生、プログラム再生、頭出し再生などの各種処理を受け付ける。
【００３６】
（再生装置１０の動作）
続いて、再生装置１０が行なう再生処理の動作について説明する。図２は、図１に示す再生装置１０が行なう再生処理のフローチャートである。
【００３７】
ＳＴＡＲＴ：マイコン７は、再生装置１０の電源がＯＮになっている状態で、ディスク１が装着されると再生処理を開始する。具体的には、マイコン７は、ディスク１が装着されたスピンドルモータ２をモータドライバ５によって回転させる。そして、マイコン７は、ピックアップ３で回転状態にあるディスク１からデータを読み出してステップＳ１の処理へ移行する。
【００３８】
ステップＳ１：マイコン１は、装着されたディスク１が混在ディスク１であるか否かのデータ判定処理を行なう。具体的には、マイコン７は、ピックアップ３から読み出されたデータを、ＲＦアンプ４で増幅し、デコード処理部８で復調する。そして、マイコン７は、デコード処理部８から供給されるディスク１のＴＯＣ情報を解析する。マイコン７は、ディスク１のＴＯＣ情報を解析した結果、第１セッションにデータ・トラック領域Ｌ４と、ＣＤ−ＤＡトラック領域Ｌ５が記録されており、かつデータ・トラック領域Ｌ４、ＣＤ−ＤＡトラック領域Ｌ５の順に記録されている場合には混在ディスク１であると判定し（ステップＳ１でＹＥＳ）、ステップＳ２の処理へ移行する。一方、マイコン７は、第１セッションにデータ・トラックのみ記録されている、またはＣＤ−ＤＡトラックのみ記録されている場合には、混在ディスク１ではないと判定し（ステップＳ１でＮＯ）、ディスク１から読み取ったＴＯＣ情報などを不図示のメモリに記録して、ステップＳ６の処理へ移行する。なお、ここで、ディスク１がＣＤ−ＤＡトラック領域Ｌ５、データ・トラック領域Ｌ４の順に記録されている場合は考慮していない。しかしながら、仮にディスク１がＣＤ−ＤＡトラック領域Ｌ５、データ・トラック領域Ｌ４の順に記録されている場合も混在ディスク１であると判定して、ステップＳ２の処理へ移行してもよい。
【００３９】
ステップＳ２：マイコン７は、非圧縮オーディオデータのディレクトリ解析処理（第１のディレクトリ解析処理）を行なう。具体的には、マイコン７は、ディスク１のＴＯＣ情報を解析して非圧縮オーディオデータの楽曲の総曲数および曲順などを特定する。そして、マイコン７は、非圧縮オーディオデータのディレクトリ解析処理を終了すると、ステップＳ３の処理へ移行する。
【００４０】
ステップＳ３：マイコン７は、圧縮オーディオデータのディレクトリ解析処理（第２のディレクトリ解析処理）を行なう。具体的には、マイコン７は、ディスク１のデータ・トラック領域Ｌ４を解析して圧縮オーディオデータの楽曲の総曲数および曲順などを特定する。そして、マイコン７は、非圧縮オーディオデータのディレクトリ解析処理を終了すると、ステップＳ４の処理へ移行する。
【００４１】
ステップＳ４：マイコン７は、フォルダ番号加算処理を行なう。具体的には、ステップＳ３で解析した圧縮オーディオデータのディレクトリ構成の各フォルダに付与されているフォルダ番号に対して所定値（たとえば１）を加算し、擬似的なディレクトリ構成を生成する。なお、マイコン７は、擬似的なディレクトリ構成情報を不図示のメモリに記録する。マイコン７は、擬似的なディレクトリ構成の生成が完了するとステップＳ５の処理へ移行する。
【００４２】
ステップＳ５：マイコン７は、フォルダ再構成処理を行なう。具体的には、ステップＳ２で判明した非圧縮オーディオデータのディレクトリ構成を、ステップＳ４で生成された擬似的なディレクトリ構成の上位階層に位置するように関連付けてフォルダを再構成し、不図示のメモリに記録する。そして、マイコン７は、ステップＳ６の処理へ移行する。
【００４３】
ステップＳ６：マイコン７は、ステップＳ５の処理から移行した場合には、不図示のメモリに記録された擬似的なフォルダ構成に基づいて再生処理を行なう。なお、マイコン７は、ステップＳ１の処理から移行した場合には、不図示のメモリに記録された実際のフォルダ構成に基づいて通常の再生処理を行なう。なお、再生処理の詳細については省略する。
【００４４】
続いて、上述したステップＳ４およびステップＳ５の具体例を示す。たとえば、ステップＳ２のディレクトリ解析処理により判明した非圧縮オーディオデータのディレクトリ構成は、ルート直下に「ＴｒａｃｋＭＭＭ．ｃｄａ」という非圧縮オーディオファイルと、「ＴｒａｃｋＮＮＮ．ｃｄａ」という非圧縮オーディオファイルのみを有する構成となっているものとする。そして、ステップＳ３のディレクトリ解析処理で判明した圧縮オーディオデータのディレクトリ構成は、図３に示すようなディレクトリ構成になっているものとする。
【００４５】
ステップＳ４のフォルダ加算処理によって、図３に示す圧縮オーディオデータの各フォルダのフォルダ番号には所定の数値として、１が加算され、図４に示すようにフォルダ２〜フォルダ５までを構成する。そして、ステップ５のフォルダ再構成処理によって非圧縮オーディオデータファイルは擬似的に生成されたフォルダ１直下に記録されている圧縮オーディオデータファイルとして識別されることになる。
【００４６】
このような再生処理を行なうことにより、混在ディスク１であっても、一方のオーディオデータに対する操作と同一の操作によって、他方のオーディオデータも取り扱うことが可能となる。すなわち、図２で示した再生処理により、非圧縮オーディオデータについても圧縮オーディオデータのディレクトリ構成に含まれて識別されるため、圧縮オーディオデータに対する動作が前提として設計されている機能（たとえば、ランダム再生機能、プログラム再生機能、頭出し機能など）であっても、同一の操作によって、非圧縮オーディオデータも取り扱うことができるようになる。
【００４７】
（第２実施形態に係る再生装置２０）
続いて、本発明の第２実施形態に係る再生装置２０を説明する。図５は、本発明の第２実施形態に係る再生装置２０の全体構成を示すブロック図である。なお、第１実施形態に係る再生装置１０と同一部分には同一符号を付しており、説明を省略する。
【００４８】
第２実施形態に係る再生装置２０は、上述した第１実施形態に係る再生装置１０の構成に加えて複数のディスク１を収容できると共に、ディスク交換を行なうディスク交換機構１５と、マイコン７の制御によりディスク交換機構１５を制御するディスク交換機構制御部１６と、を備えている。
【００４９】
ディスク交換機構１５は、たとえばディスクチェンジャなどで構成され、混在ディスク１に限らず、圧縮オーディオデータのみ記録されているディスク１や非圧縮オーディオデータのみ記録されているディスク１なども収容されている。
【００５０】
ディスク交換機構制御部１６は、マイコン７からの制御にしたがってディスク交換機構１５を制御する。具体的には、マイコン７からの制御により、複数のディスク１から所定のディスク１へ入れ替える処理をディスク交換機構１５に行なわせる。
【００５１】
以下、第２実施形態に係る再生装置２０が行なう再生処理について説明する。図６は、図５に示す再生装置２０が行なう再生処理のフローチャートである。
【００５２】
ＳＴＡＲＴ：マイコン７は、再生装置２０の電源がＯＮになっている状態で、ディスク交換機構１５に収容されている複数のディスクから所定の１枚のディスク１が装着されると、再生処理を開始する。具体的には、再生装置１０は、ディスク１が装着されたスピンドルモータ２をモータドライバ５によって回転させる。そしてピックアップ３で、回転状態にあるディスク１からデータを読み出してステップＳ１０の処理へ移行する。
【００５３】
ステップＳ１０：マイコン１は、装着されたディスク１が混在ディスク１であるか否かのデータ判定処理を行なう。具体的には、マイコン７は、ピックアップ３から読み出されたデータを、ＲＦアンプ４で増幅し、サーボ制御／ＤＳＰ部６で復調する。そして、マイコン７は、デコード処理部８から供給されるＴＯＣ情報を解析する。マイコン７は解析した結果、第１セッションにデータ・トラックと、ＣＤ−ＤＡトラックが記録されており、かつデータ・トラック、ＣＤ−ＤＡトラックの順に記録されている場合には混在ディスク１であると判定し（ステップＳ１０でＹＥＳ）、ステップＳ１１の処理へ移行する。一方、マイコン７は、第１セッションにデータ・トラックのみ記録されている、またはＣＤ−ＤＡトラックのみ記録されている場合には、混在ディスク１ではないと判定し（ステップＳ１０でＮＯ）、ステップＳ１２の処理へ移行する。
【００５４】
ステップＳ１１：マイコン７は、非圧縮オーディオデータのディレクトリ解析処理（第１のディレクトリ解析処理）を行なう。マイコン７は、ディスク１のＴＯＣ情報を解析して非圧縮オーディオデータの楽曲の総曲数および曲順などを特定する。そして、マイコン７は、非圧縮オーディオデータのディレクトリ解析処理を終了すると、ステップＳ１３の処理へ移行する。
【００５５】
ステップＳ１２：マイコン７は、ディスク１のディレクトリ解析処理を行なう。具体的には、マイコン７は、ディスク１のリード・イン領域Ｌ１を参照しＴＯＣ情報を取得する。そして、マイコン７は、取得したＴＯＣ情報からディスク１に記録されている楽曲数や曲順などの情報を不図示のメモリに記憶して、ステップＳ１４の処理へ移行する。
【００５６】
ステップＳ１３：マイコン７は、圧縮オーディオデータのディレクトリ解析処理（第２のディレクトリ解析処理）を行なう。具体的には、マイコン７は、ディスク１のデータ・トラック領域Ｌ４を解析して圧縮オーディオデータの楽曲の総曲数および曲順などを特定する。そして、マイコン７は、非圧縮オーディオデータのディレクトリ解析処理を終了すると、ステップＳ１４の処理へ移行する。
【００５７】
ステップＳ１４：マイコン７は、ディスク交換機構１５に収容されている全てのディスク１の読取が完了したか否かを判定する。マイコン７は、ディスク交換機構１５に収容されている全てのディスク１の読取が完了したと判定したときは（ステップＳ１４でＹＥＳ）、ステップＳ１６へ処理を移行する。一方、マイコン７は、ディスク交換機構１５に収容されている全てのディスク１の読取が完了していないと判定したときは（ステップＳ１４でＮＯ）、ステップＳ１５へ処理を移行する。
【００５８】
ステップＳ１５：マイコン７は、ディスク交換機構制御部１６を用いてディスク交換機構１５によってディスク１の交換を行なわせる。マイコン７は、ディスク交換が完了すると、ステップＳ１０へ処理を移行する。
【００５９】
ステップＳ１６：マイコン７は、フォルダ番号加算処理を行なう。具体的には、ステップＳ１２で解析した圧縮オーディオデータのディレクトリ構成の各フォルダに付与されているフォルダ番号に対して所定値（たとえば１）を加算し、擬似的なディレクトリ構成を生成する。なお、マイコン７は、擬似的なディレクトリ構成情報を不図示のメモリに記録する。マイコン７は、擬似的なディレクトリ構成の生成が完了するとステップＳ１７の処理へ移行する。
【００６０】
ステップＳ１７：マイコン７は、フォルダ再構成処理を行なう。具体的には、ステップＳ１１で判明した非圧縮オーディオデータのディレクトリ構成を、ステップＳ１３で生成された擬似的なディレクトリ構成の上位階層に位置するように関連付けて、不図示のメモリに記録する。そして、マイコン７は、ステップＳ１８の処理へ移行する。
【００６１】
ステップＳ１８：マイコン７は、不図示のメモリに記録された擬似的なフォルダ構成に基づいて再生処理を行なう。なお、再生処理の詳細については省略する。
【００６２】
このような再生処理を行なうことにより、混在ディスク１や混在していないディスク１が複数存在していても、それらのディスクから読み取ったデータ群について、一方のオーディオデータに対する操作と同一の操作によって、他方のオーディオデータも取り扱うことが可能となる。したがって、ユーザはディスク交換機構１５に収容されているディスク１が混在ディスク１なのか、混在していないディスク１なのかを特に気にする必要が無く、同一の操作により取り扱うことが可能になる。
【００６３】
以上、再生装置１０，２０を本発明の実施形態例として説明したが、本発明は、これに限定されるものではなく、発明の要旨を逸脱しない範囲において種々の変形や変更が可能である。
【００６４】
たとえば、上述した各実施形態に係る再生装置１０、２０では再生処理を例に説明したが、本願発明は、ランダム再生処理、プログラム再生処理、頭出し再生処理、スキップ処理であっても適用できる。なお、その際には、上述した各処理を行なう前に、図２に示すステップＳ１〜ステップＳ５までの処理または図６に示すステップＳ１０〜ステップＳ１７までの処理を行ない、擬似的なフォルダ構成を生成すればよい。
【００６５】
また、上述した再生装置２０のように複数のディスク１を収容したディスク交換機構１５を備えた装置としたが、たとえば、更にＵＳＢ接続などにより外部の他の再生装置から非圧縮オーディオデータおよび／または圧縮オーディオデータを取り込んで、これらのオーディオデータを一度に再生する再生装置であってもよい。
【００６６】
また、上述した再生装置２０のステップＳ１４の処理においてディスク交換機構１５に収容されている全てのディスク１が読み取られているか否か判定をしたが、１または複数の特定のディスク１が全て読み取られたか否か判定を行なうものとしてもよい。
【００６７】
また、上述した実施形態に係る再生装置１０、２０は、上記処理により擬似的に形成した共通のディレクトリ構造を、表示部１３に表示することにより、ディスク１のオーディオデータを階層表示してもよく、表示部１３に階層表示したオーディオデータについて操作部１４を用いてユーザが選択可能としてもよい。
【００６８】
また、上述した実施形態に係る再生装置１０、２０が行なう再生処理のステップＳ１およびステップＳ１０において、ＴＯＣ情報を解析した結果、第１セッションにデータ・トラックと、ＣＤ−ＤＡトラックが記録されており、かつデータ・トラック、ＣＤ−ＤＡトラックの順に記録されている場合に混在ディスク１であると判定したが、それ以外にも、上記判定条件に加えて、もしくは上記判定条件に代えてデータ・トラックに記録されているファイルにｍｐ３、ＡＴＲＡＣ３、ＷＭＡなどの圧縮オーディオデータの拡張子が確認でき、かつＣＤ−ＤＡトラックに記録されているファイルにｃｄａなどの非圧縮オーディオデータの拡張子が確認できたときに混在ディスク１であると判定してもよい。
【００６９】
また、各実施形態に係る再生装置１０，２０におけるフォルダ再構成部７Ｄでは、圧縮オーディオデータのディレクトリ構成に非圧縮オーディオデータのディレクトリ構成が上位階層となるように取り込んでいるが、逆に非圧縮オーディオデータのディレクトリ構成に圧縮オーディオデータのディレクトリ構成が上位階層となるように取り込んでもよい。
【００７０】
また、各実施形態に係る再生装置１０，２０および上述した変形例で説明した各部の機能の全部または一部をプログラムによって構成し、このプログラムを情報処理装置（コンピュータ）にインストールすることで実現してもよい。具体的には、コンピュータを、圧縮オーディオデータと非圧縮オーディオデータとが混在したデータ群を再生する再生装置１０であって、非圧縮オーディオデータのディレクトリ構成を特定する第１のディレクトリ解析手段（ディレクトリ解析部７Ｂに相当）、圧縮オーディオデータのディレクトリ構成を特定する第２のディレクトリ解析手段（ディレクトリ解析部７Ｂに相当）、第１のディレクトリ解析手段および第２のディレクトリ解析手段の解析結果に基づいて圧縮オーディオデータおよび非圧縮オーディオデータを擬似的に共通のディレクトリ構成とするフォルダ再構成手段（フォルダ再構成部７Ｃ）、として機能させるためのプログラムとすることができる。なお、このプログラムを実行可能な状態で記録した媒体からコンピュータに直接インストールすることも可能であるが、ネットワーク経由で遠隔にあるコンピュータにインストールしてもよい。また、このプログラムを既存の再生装置にインストールすることによって各種手段を実現してもよい。
【図面の簡単な説明】
【００７１】
【図１】本発明の第１実施形態に係る再生装置の全体構成を示すブロック図である。
【図２】図１に示す再生装置が行なう再生処理のフローチャートである。
【図３】図１に示すディスク内に記録されている圧縮オーディオデータのディレクトリ構成を示す図である。
【図４】図３に示すディレクトリ構成に非圧縮オーディオデータのディレクトリ構成が上位階層となるように取り込み、擬似的な共通のディレクトリ構成とした図である。
【図５】本発明の第２実施形態に係る再生装置の全体構成を示すブロック図である。
【図６】図５に示す再生装置が行なう再生処理のフローチャートである。
【図７】ミックス・モードＣＤの記録構造を模式的に示した図である。
【符号の説明】
【００７２】
１  ディスク
２  スピンドルモータ
３  ピックアップ
４  ＲＦアンプ
５  モータドライバ
６  サーボ制御／ＤＳＰ
７  マイコン
８  デコード処理部
８Ａ  非圧縮オーディオデコーダ部
８Ｂ  圧縮オーディオデコーダ部
９  ＤＡＣ
１０  再生装置
７Ａ  データ判別部
７Ｂ  ディレクトリ解析部（第１のディレクトリ解析部、第２のディレクトリ解析部）
７Ｃ  フォルダ番号加算部
７Ｄ  フォルダ再構成部
１１  アンプ
１２  スピーカ
１３  表示部
１４  操作部
１５  ディスク交換機構
１６  ディスク交換機構制御部
【図１】
2010108542.tif 000003
【図２】
2010108542.tif 000004
【図３】
2010108542.tif 000005
【図４】
2010108542.tif 000006
【図５】
2010108542.tif 000007
【図６】
2010108542.tif 000008
【図７】
2010108542.tif 000009